(57)【要約】【課題】設置スペースにあわせるためにデッキ部材を分断して用いる場合に、支持脚の取付可能範囲が広く、デッキ部材設計上の制約が少ないデッキ部材を提供することを目的とする。【解決手段】ベース体と、複数の支持脚と、複数の支持脚取付部材と、支持脚格子取付部材とを備え、ベース体は格子体部を有して平面視略方形形状に形成してあり、格子体部は複数の所定配置した縦及び横方向の桟で交差部を形成して各桟間にデッキ部材を上下に貫通する格子穴を形成してあり、支持脚格子取付部材は、格子連結体と支持脚取付体とベース板とを有し、格子連結体は、複数の弧形突出片をベース板上面から同心円状に突出させて桟交差部に嵌合する桟嵌合部を形成してあり、支持脚取付体は雌ねじ部を上下に貫通して有し、格子連結体と支持脚取付体とは、格子連結体の略筒形中心軸と支持脚取付体の雌ねじ部中心軸とを偏心させてベース板に配設したデッキ部材とした。【選択図】  図１
2007332573.tif 000002
【特許請求の範囲】
【請求項１】
ベース体と、複数の支持脚と、複数の支持脚取付部材と、支持脚格子取付部材とを備え、
ベース体は格子体部を有して平面視略方形形状に形成してあり、
格子体部は複数の所定配置した縦及び横方向の桟で交差部を形成して各桟間にデッキ部材を上下に貫通する格子穴を形成してあり、
支持脚格子取付部材は、格子連結体と支持脚取付体とベース板とを有し、
格子連結体は複数の弧形突出片をベース板上面から同心円状に突出させて桟交差部に嵌合する桟嵌合部を形成してあり、
支持脚取付体は雌ねじ部を上下に貫通して有し、
格子連結体と支持脚取付体とは、格子連結体の略筒形中心軸と支持脚取付体の雌ねじ部中心軸とを偏心させてベース板に配設してあることを特徴とするデッキ部材。
【請求項２】
桟嵌合部は圧入溝及びガイド溝よりなり、
ガイド溝は交差部を形成する一の桟を嵌入するものであり、
圧入溝は交差部を形成する他の桟を圧入するために、当該他の桟に対応する位置よりも少しずれた位置に配設してあることを特徴とする請求項１記載のデッキ部材。
【発明の詳細な説明】
【技術分野】
【０００１】
本発明は、ベランダ、通路、庭等に建物出入口や通路等との段差を解消するために形成するデッキ部材に関し、特にデッキ部材の敷設スペースに合わせて寸法調整しやすく、支持脚の取付性、安定性の向上に適用するのが効果的である。
【背景技術】
【０００２】
ベランダや庭等と、建物出入口や通路等の室内側床面との段差を解消する目的で、所定高さに水平床面を形成するデッキ部材が採用されている。
例えば、図１７に示すようにデッキ部材ベース体１２０に上下に貫通する取付筒１２１ｂを設けて、この取付筒１２１ｂに雌ねじ部１３１ａを有する取付部材１３１を取り付け、この雌ねじ部にボルト部材１３２を螺合する技術が公知である。
この際に、デッキ部材を設置スペースに順次敷設するとスペースが狭くなり、デッキ部材をそのままでは敷設できなくなる場合が多い。
このような場合には、デッキ部材の一部を切断して寸法調整することになるが、デッキ部材を切断した端部に支持脚を取り付けることが出来ない場合も多く発生し、その場合にデッキ部材が不安定になる問題があった。
特開２００１−３１１２９５号公報には、ベース体に縦桟及び横桟で格子形状を設け、この格子形状にボルト部材を取り付ける技術を開示するが、取付位置に制限があり、必ずしもデッキ部材の切断端部に支持脚を設けることができないものである。
【０００３】
【特許文献１】特開２００１−３１１２９５号公報
【発明の開示】
【発明が解決しようとする課題】
【０００４】
本発明は上記技術的課題に鑑みて、寸法調整用に切断が容易であり、且つ切断端部に支持脚を安定的に配置できるデッキ部材の提供を目的とする。
【課題を解決するための手段】
【０００５】
本発明の技術的要旨は、ベース体と、複数の支持脚と、複数の支持脚取付部材と、支持脚格子取付部材とを備え、ベース体は格子体部を有して平面視略方形形状に形成してあり、格子体部は複数の所定配置した縦及び横方向の桟で交差部を形成して各桟間にデッキ部材を上下に貫通する格子穴を形成してあり、支持脚格子取付部材は、格子連結体と支持脚取付体とベース板とを有し、格子連結体は、複数の弧形突出片をベース板上面から同心円状に突出させて桟交差部に嵌合する桟嵌合部を形成してあり、支持脚取付体は雌ねじ部を上下に貫通して有し、格子連結体と支持脚取付体とは、格子連結体の略筒形中心軸と支持脚取付体の雌ねじ部中心軸とを偏心させてベース板に配設してあることを特徴とするデッキ部材とした点である。
【０００６】
請求項２記載の発明の技術的要旨は、桟嵌合部は圧入溝及びガイド溝よりなり、ガイド溝は交差部を形成する一の桟を嵌入するものであり、圧入溝は交差部を形成する他の桟を圧入するために、当該他の桟に対応する位置よりも少しずれた位置に配設してある点である。
【発明の効果】
【０００７】
本発明に係るデッキ部材においては、ベース体に格子体部を設けて、この格子体部に支持脚を取り付けて嵌められる支持脚格子取付部材を有していることから、設置スペースにあわせて切断したベース体の切断端部側に支持脚を容易に取り付けることが出来る。
この支持脚格子取付部材は格子体部の交差部を中心に、交差部の縦桟、横桟に略十字方向に形成した溝を嵌めて取り付け、支持脚取付体は略十字方向に形成した溝の中心から偏心させた位置に形成してあるため、支持脚取付体を回転することで支持脚の位置を交差部を中心として位置調整が出来る。
これにより、支持脚格子取付部材は、交差部が設けてあり、交差部を中心とした回転方向のいずれかに支持脚を取り付け出来れば、ベース体に支持脚を連結出来るため、デッキ部材ベース体の設計の自由度が高く、また、よりデッキ部材を安定させることが出来る位置に支持脚を取付出来る。  
交差部の桟を嵌める溝は、嵌入溝と圧入溝で形成してあるため、桟の一部又は弧形突出片を撓ませるものとなり、桟と溝内壁との摩擦抵抗力が大きくなり、支持脚格子取付部材が格子体部から外れるのを防止しする。
【発明を実施するための最良の形態】
【０００８】
図５は本発明に関するデッキ部材の実施例の説明図で、バルコニー等のコンクリート製床面２に適用した状態の側面を模式的に描いてある。
バルコニー１の床面２は室内側床面３より低く形成してあり、出入口４側にはステップ２ａを形成し、バルコニー１のはね出し方向側端には排水溝２ｂが形成してある。
室外と室内の間には出入口として戸４ａが取り付けられている。
バルコニー床面２上には、平面視略方形形状のデッキ部材１０を複数敷設し、このデッキ部材１０が納まらないスペースになると一部を切断した寸法調整用のデッキ部材１０ａを敷設する。
図１は模式的に一枚ずつ表示する。
図７（ａ）、図７（ｂ）に表側から見たデッキ部材１０、１０ａの外観斜視図を示し、図１６に裏側から見た外観斜視図を示す。
デッキ部材１０、１０ａはデッキ部材ベース体２０、２０ａにデッキ部材ベース体２０、２０ａを支持する複数の支持脚３０ａ、３０ｂ、３０ｃを支持脚取付部材３１あるいは支持脚格子取付け部材４０を用いて取り付けてあり、デッキ部材ベース体２０、２０ａの上面には中間部材６０、６０ａを用いて床材５０、５０ａを取り付けてある。
デッキ部材１０、１０ａは、それぞれの支持脚３０ａ、３０ｂ、３０ｃと支持脚取付部材３１あるいは支持脚格子取付部材４０とで形成する高さを適度に調整することで、デッキ部材床面１０ｃ、１０ｄを例えば室内床面３との間に段差を生じないように、所定高さに水平に設置可能としてある。
デッキ部材ベース体２０の表面を図８（ａ）に示し、裏面を図８（ｂ）に示す。
また、裏側から見た外観斜視図を図９に示す。
デッキ部材ベース体２０は、所定位置に複数の支持脚装着部２１と、支持脚装着部２１間を連結する縦桟２２ｂと横桟２２ｃとからなる格子体部２２とを有して略方形板状に形成してあり、上面の所定位置には係合爪２３を複数設けてある。
また、デッキ部材ベース体２０の側面部分には、他のデッキ部材ベース体２０と雄雌の嵌合で連結して複数のデッキ部材を連設出来るようにした、連結オス部２４と連結メス部２５とを設けてある。
支持脚装着部２１は、上下方向の支持脚取付筒２１ｂを設けてその内側にデッキ部材ベース体２０を上下に貫通する支持脚装着孔２１ａを形成してある。
この装着用筒２１ｂは図５に示す支持脚取付部材３１に取り付けた支持脚を下方から支持脚取付筒２１ｂの下端に嵌合装着するもので、その嵌合装着構造は後述する。
格子体部２２は図８に示すように、デッキ部材ベース体２０上面から下面に渡る複数の縦桟２２ｂと横桟２２ｃとを所定位置に略升目形に配置して縦桟２２ｂと横桟２２ｃの交差部分に交差部２２ａを形成したもので、各桟間にデッキ部材ベース体２０を上下に貫通する複数の格子穴２２ｄを設けてある。
デッキ部材ベース体２０は、この格子穴２２ｄを横切るように切断することで、設置スペースに合わせた大きさに容易に分断してデッキ部材ベース体２０ａとすることが出来る。
図５に示す支持脚３０ａは、ボルト部材３２にスペーサー３５を連結してこのスペーサー３５に、下端に台座３８を取り付けた他のスペーサー３５ａを連結してあり、ボルト部材３２を支持脚取付部材３１に取り付けてデッキ部材ベース体２０に装着してある。
支持脚３０ｂは、ボルト部材３２に、下端に台座３８を取り付けたスペーサー３５を連結してあり、ボルト部材３２を支持脚取付部材３１に取り付けてデッキ部材ベース体２０に装着してある。
支持脚３０ｃは、下端に台座３８を取り付けたボルト部材３２を連結してあり、支持脚取付部材３１に取り付けてデッキ部材ベース体２０ａに装着してあり、あるいは、支持脚格子取付部材４０に取り付けてデッキ部材ベース体２０ａに装着してある。
この支持脚格子取付部材４０のデッキ部材ベース体２０ａへの取付構造は後述する。
【０００９】
次に図５に示す支持脚格子取付部材４０を用いた支持脚取付構造について説明する。
支持脚格子取付部材４０を斜め表側から見た斜視図を図２（ａ）に示し、斜め裏側から見た斜視図を図２（ｂ）に示す。
また、支持脚格子取付部材４０を表側からみた外観図を図３に示す。
支持脚格子取付部材４０は、略板状のベース板４１に格子連結体４２と支持脚取付体４６とを配設してある。
格子連結体４２は、ベース板４１の上面から突出させた弧形突出片４３ａ、４３ｂ、４３ｃ、４３ｄと、その弧形突出片の間に圧入溝４４とガイド溝４５とを有している。
各弧形突出片４３ａ、４３ｂ、４３ｃ、４３ｄは同心で略円筒形を形成するように配設してあり、弧形突出片４３ａ、４３ｂ間と、弧形突出片４３ｃ、４３ｄ間に圧入溝４４を設け、弧形突出片４３ｂ、４３ｃ間と弧形突出片４３ｄ、４３ａ間にガイド溝４５を設けてある。
圧入溝４４とガイド溝４５は格子連結体４２の中心軸４２ａから略十字方向となる位置に、格子連結体４２を各弧形突出片に切り分けるように設けてある。
ガイド溝４５は、図８（ｂ）に示すデッキ部材ベース体の裏側方向から、格子体部２２の交差部２２ａ位置を弧形突出片の同心中心軸位置に合わせ、この交差部２２ａを形成する縦桟２２ｂ、横桟２２ｃのいずれかをこの同心中心軸と平行に挿入可能としてある。
圧入溝４４は、両ガイド溝４５を通り弧形突出片の同心中心軸４２ａを通る径方向に対して、弧形突出片の同心中心軸を通り直角となる径方向の位置よりも、その溝口位置を弧形突出片の弧形周方向に所定角度ずらしてある。
そして、圧入溝４４の溝内壁には、弧形突出片４３の弧形周方向に傾斜させたテーパー部４４ｂを設けてある。
よって、交差部２２aを形成する桟のガイド溝４５及び圧入溝４４への挿入は、ガイド溝４５に一方の桟を挿入しつつ、他方の桟を、圧入溝４４の溝口へ交差部２２ａを形成する桟あるいは弧形突出片を撓ませつつ挿入し、加えてテーパー部による傾斜で更に交差部２２ａを形成する桟、あるいは弧形突出片撓ませつつ行うものとしてある。
これにより、交差部２２ａを形成する桟と圧入溝４４との摩擦抵抗力を大きくして桟と格子連結体４２とを係着させる。
支持脚取付体４６はベース板４１を上下に貫通する筒形に形成してあり、筒形内に雌ねじ４６ａを設けてボルト部材３２を螺合可能としてある。
格子連結体４２と支持脚取付体４６は、格子連結体４２の弧形突出片４３の同心中心軸４２ａに対して支持脚取付体４６の中心軸４６ｂが偏心する位置となるようにベース部４１に配設してある。
【００１０】
支持脚格子取付部材のデッキ部材ベース体の格子体部への取付け構造について説明する。
図６（ａ）は支持脚格子取付部材４０をデッキ部材ベース体２０ａの交差部２２ａ部分に取り付けて上方から見た説明図を示す。
支持脚格子取付部材４０は縦桟２２ｂにガイド溝４５を嵌め、横桟２２ｃに圧入溝４４を嵌めて、ガイド溝４５で挿入方向にガイドしながら、圧入溝４４で交差部２２ａを形成する桟２２ｂ、２２ｃ、あるいは弧形突出片を撓ませて挿入して摩擦抵抗力で係着してある。
図４は支持脚格子取付部材４０を格子体部２２へ取り付け、その支持脚格子取付部材４０に支持脚を取り付ける手順の説明図を示す。
又、図１（ａ）は分断したデッキ部材ベース体２０ａに取付部材４０で支持脚３０ａを取り付ける前の状態の斜視図を示し、図１（ｂ）は取付部材４０で支持脚３０ａを取り付けた状態の斜視図を示す。
また、図６（ｂ）、図６（ｃ）、図６（ｄ）は交差部２２ａの中心軸に対して取付部材４０の弧形突出片４３の同心中心軸４２ａを合わせて、交差部２２ａの桟を嵌める圧入溝４４とガイド溝４５を取付部材４０を約９０度回転させて変えて嵌合させた状態の説明図を示す。
支持脚格子取付部材４０は格子体部２２のいずれかの交差部２２ａの縦桟２２ｂ、横桟２２ｃに図４（ａ）に示すように圧入溝４４あるいはガイド溝４５を合わせて、図４（ｂ）に示すように嵌め込む。
ガイド溝４５は、ベース体４１の上面と垂直方向に開口して形成してあり、ベース板４１は少なくとも２つの桟間に跨る大きさに形成してあるため、ガイド溝４５を桟に嵌めることでベース板４１の上面は桟下面に面接するようにあてがわれる。
一方、圧入溝４４への縦桟２２ｂの嵌合は、支持脚格子取付部材４０のガイド溝４５に浅く横桟２２ｃを嵌めた後ひねり入れて行う。
圧入溝４４は弧形突出片４３ａ、４３ｃの弧形周方向のテーパー部４４ｂを溝内壁に設けてあるため、圧入溝４４への挿入につれて桟は更にひねられて、摩擦抵抗力を増大させる。
図６（ａ）は弧形突出片４３および桟の撓みをわかりやすくするため、おおげさに描いてある。
圧入溝４４とガイド溝４５は、略十字方向に配置してあるため、交差部２２ａの十字形に合わせて支持脚格子取付部材４０を約９０度回転させることで、図６（ａ）、図６（ｂ）、図６（ｃ）、図６（ｄ）に示すように支持脚取付体４６のデッキ部材ベース体２０ａに対する位置を変えて取付出来る。
この時の支持脚取付体４６の位置は、いずれの位置でもデッキ部材ベース体２０ａの格子体部２２の格子穴２２ｄ位置となるように設定してある。
デッキ部材ベース体２０ａに取り付けた支持脚格子取付部材４０の支持脚取付体４６の雌ねじ４６ａには、図４（ｃ）に示すように下方から図５に示すいずれかの支持脚のボルト部材３２を螺合により連結させる。
支持脚取付体４６は格子穴２２ｄ位置となるようにベース板４１に配設してあるため、デッキ部材ベース体２０ａの上方から格子穴２２ｄ、支持脚取付体４６の雌ねじ部４６ａを通して、工具５をボルト部材３２の工具披操作部３３ｂに係合させ、工具５を回転操作してボルト部材３２を回転し、支持脚の高さ調整する。
【００１１】
図５に示す支持脚取付部材３１の外観図を図１０に示し、図１１（ａ）にボルト部材３２の外観図を示し、図１２にスペーサー３５の外観図を示し、図１３に台座３８の外観図を示す。
図１０に示す支持脚取付部材３１は略円柱形で、略円柱形の外周に、上向きに開口する取付筒受け凹部３１ｂを設けてあり、この取付筒受け凹部３１ｂはデッキ部材ベース体の支持脚取付筒２１ｂに下方から嵌合可能としてある。
そして、雌ねじ部３１ａを略円柱形の中心軸を通り上下に貫通させて有している。
各部品は説明のために、デッキ部材設置時に上側となる側を上部、下側となる側を下部と称する。
図１１（ａ）に示すボルト部材３２は、雄ねじ３３ａを外周に有するボルト部３３と、上方からドライバー等の工具を係合させる工具被操作部３３ｂと、雄ねじ３４ａを外周に有してボルト部３３より拡径してある係合部３４とを有している。
工具被操作部３３ｂはボルト部３３の挿入方向先端に形成してあり、係合部３４はボルト部３３の挿入方向後端に配設してある。
そして、係合部３４の下面から雄ねじ３４ａの中心軸と同心でその螺合方向に断面円形に凹ませたピン受け孔３４ｂを設けてある。
図１１（ｂ）に示すボルト部材３２ａは図１１（ａ）に示すボルト部材３２のボルト部を長くしたもので、ボルト部材はデッキ部材高さを設定するにあたり適当な長さのものを選択使用すれば良い。
ボルト部３３は、図１０に示す支持脚取付部材３１の雌ねじ部３１ａに螺合可能としてある。
工具被操作部３３ｂはボルト部３３の挿入方向を開口させた凹形で形成してあり、、ボルト部３３を支持脚取付部材３１の雌ねじ部３１ａに螺合させた状態で、雌ねじ部３１ａの上方開口側から工具を通して係合させて、ボルト部３３を回転させてボルト部材を進退操作可能としてある。
図１２に示すスペーサー３５は略円柱形で、略円柱形上端は内周に雌ねじ３６ａを有する係合凹部３５を下向きに凹ませて形成してある。
略円柱形下端には係合凸部３７を雄ねじ３７ａを外周に形成して下向きに突出させて形成してある。
係合凹部３６内には、ガイドピン３６ｂを雌ねじ３６ａの中心軸と同心で、ボルト部材３２のピン受け孔３４ｂに嵌合出来るように雌ねじ３６ａの螺合方向上向きに突出させてある。
また、係合凸部３７の下面から、雄ねじ３７ａの螺合方向に係合凸部３７の雄ねじ３７ａの中心軸と同心で断面円形に凹ませたピン受け孔３７ｂを、他のスペーサーに設けてあるガイドピン３６ｂを嵌められるように設けてある。
係合凹部３６は、内周の雌ねじ３６ａでボルト部材３２の係合部３４に、ガイドピン３６ｂをボルト部材３２のピン受け孔３４ｂに嵌めて螺合可能としてある。
そして、係合凹部３６は別のスペーサーの係合凸部３７とも、ガイドピン３６ｂを別のスペーサーのピン受け孔３７ｂに嵌めて螺合可能としてある。
また、係合凸部３７は図１３に示すゴム製の台座３８を嵌着できるようになっている。
【００１２】
支持脚取付部材及び支持脚をデッキ部材から取り外した外観図を図１４に示す。
図１４（ａ）、図１４（ｂ）、図１４（ｃ）はそれぞれ支持脚取付部材３１に取り付けた支持脚３０ａ、３０ｂ、３０ｃを示し、図１４（ｄ）は支持脚格子取付部材４０から取り外した支持脚３０ｃのみを示す。
支持脚格子取付部材４０を用いた支持脚３０ｃの取付構造については後述する。
ボルト部材３２の係合部３４にはスペーサー３５が螺合により、あるいは台座３８が嵌め込みにより連結してある。
係合部３４とスペーサー３５との連結は、図１１に示すボルト部材係合部３４の雄ねじ３４ａと、図１２に示す係合凹部３６の雌ねじ３６ａとを螺合させ、ボルト部材３２のピン受け孔３４ｂにスペーサーのガイドピン３６ｂを嵌めてある。
支持脚３０ａのスペーサー３５の係合凸部３７には、他のスペーサー３５ａの係合凹部３６を連結してある。
スペーサー同士の連結は、図１２に示す係合凸部３７の雄ねじ３７ａと、別のスペーサー３５ａの係合凹部３６の雌ねじ３６ａとを螺合させ、ピン受け孔３７ｂにガイドピン３６ｂを嵌めてある。
このように、スペーサーは複数個を連結出来る。
ボルト部材とスペーサー、あるいは、スペーサー同士は、ガイドピンをピン受け孔に嵌めてガイドしながら螺合させるために、簡単にねじ溝を合わせることが出来、作業性が良い。
そして、最下端のスペーサー３５ａのスペーサー係合凸部３７の雄ねじ３７ａには、台座３８を嵌着してある。
支持脚３０ｃは、ボルト部材３２の係合部３４には台座３８を嵌着してある。
支持脚は、スペーサーの連結数を選択して高さを段階的に調整したり、支持脚取付部材３１へのボルト部材ボルト部の螺合深さを変えて、その高さを連続的に調整する。
【００１３】
図１５は支持脚を高さ調整する状態の説明図を示す。
図１５（ａ）、図１５（ｂ）、図１５（ｃ）は、図１４（ａ）、図１４（ｂ）、図１４（ｃ）にそれぞれ示す支持脚３０ａ、３０ｂ、３０ｃを支持脚取付部材３１でデッキ部材ベース体に取り付けた状態を示す。
支持脚３０ａ、３０ｂ、３０ｃは、支持脚取付部材３１の取付筒受け凹部３１ｂを支持脚取付筒２１ｂに下方から嵌め込んである。
雌ねじ部３１ａは支持脚装着孔２１ｂに向けた状態としてあり、この支持脚取付部材３１の雌ねじ部３１ａにボルト部材３２のボルト部３２ａを螺合させてデッキ部材ベース体２０を支持するように取り付けてある。
支持脚３０ａ、３０ｂ、３０ｃの高さ調整は、上方から支持脚装着孔２１ａを通して工具５を差し込んでボルト部３３先端の工具被操作部３３ｂに係合させ、工具５を回転することで雌ねじ部３１ａに対してボルト部３３を高さ方向の進退操作させて行う。
工具５がボルト部材３２を回転させると、ボルト部材３２に連結してあるスペーサー３５、３５ａや、台座３８も共に回転するが、ボルト部材３２とスペーサー３５とは螺合で連結してあり、スペーサー同士も螺合で連結してあるため、スペーサー３５、３５ａが外れることを防止してある。
【図面の簡単な説明】
【００１４】
【図１】本発明に関するデッキ部材のデッキ部材ベース体に支持脚を支持脚格子取付部材で取り付ける状態の説明図で、（ａ）は取付け前の状態の外観斜視図を示し、（ｂ）取付け後の状態の外観斜視図を示す。
【図２】支持脚格子取付部材の外観斜視図を示す。
【図３】支持脚格子取付部材の表側の外観図を示す。
【図４】支持脚格子取付部材を格子体部に取り付ける手順の説明図を示す。
【図５】本発明に関するデッキ部材の実施例を、バルコニー床面に適用した状態の説明図を示す。
【図６】支持脚格子取付部材を格子体部に嵌めた状態の説明図を示す。
【図７】デッキ部材を斜め表側から見た外観斜視図を示す。
【図８】ベース体の外観図を示す。
【図９】ベース体を裏側から見た外観斜視図を示す。
【図１０】雌ねじ部材の外観図を示す。
【図１１】ボルト部材の外観図を示す。
【図１２】スペーサーの外観図を示す。
【図１３】台座の外観図を示す。
【図１４】支持脚取付部材及び支持脚をデッキ部材から取り外した外観説明図を示す。
【図１５】支持脚をベース体に取付けて高さ調整する状態の説明図を示す。
【図１６】デッキ部材を裏側から見た外観斜視図を示す。
【図１７】従来のデッキ部材ベース体への支持脚取付構造の説明図を示す。
【符号の説明】
【００１５】
１      バルコニー
２      バルコニー床面
２ａ    ステップ
２ｂ    排水溝
３      室内床面
４      出入口
５      工具
１０    デッキ部材
１０ａ  寸法調整用のデッキ部材
１０ｃ、１０ｄ  デッキ部材床面
２０    ベース体
２０ａ  寸法調整用のベース体
２１    支持脚装着部
２１ａ  支持脚装着孔
２１ｂ  支持脚取付体
２２    格子体部
２２ａ  交差部
２２ｂ  縦桟
２２ｃ  横桟
２２ｄ  格子穴
２３    ベース体側係合爪
２４    連結オス部
２５    連結メス部
３０ａ、３０ｂ、３０ｃ  支持脚
３１    支持脚取付部材
３１ａ  雌ねじ部
３１ｂ  取付筒受け凹部
３２、３２ａ  ボルト部材
３３    ボルト部
３３ａ  雄ねじ
３３ｂ  工具被操作部
３４    ボルト部材側の係合部
３４ａ  雄ねじ
３４ｂ  ピン受け孔
３５、３５ａ  スペーサー
３６    スペーサー側の係合凹部
３６ａ  雌ねじ
３６ｂ  ガイドピン
３７    スペーサー側の係合凸部
３７ａ  雄ねじ
３７ｂ  ピン受け孔
３８    台座
３８ａ  台座凹部
４０    支持脚格子取付部材
４１    支持脚格子取付部材ベース板
４１ａ  リブ
４２    格子連結体
４２ａ  格子連結体中心軸
４３ａ、４３ｂ、４３ｃ、４３ｄ  弧形突出片
４４    圧入溝
４４ａ  圧入溝口
４４ｂ  テーパー部
４５    ガイド溝
４６    支持脚取付体
４６ａ  雌ねじ部
４６ｂ  雌ねじ部中心軸
４６ｃ、４６ｄ  リブ
５０、５０ａ、５０ｂ  床材
６０、６０ａ  中間部材
【図１】
2007332573.tif 000003
【図２】
2007332573.tif 000004
【図３】
2007332573.tif 000005
【図４】
2007332573.tif 000006
【図５】
2007332573.tif 000007
【図６】
2007332573.tif 000008
【図７】
2007332573.tif 000009
【図８】
2007332573.tif 000010
【図９】
2007332573.tif 000011
【図１０】
2007332573.tif 000012
【図１１】
2007332573.tif 000013
【図１２】
2007332573.tif 000014
【図１３】
2007332573.tif 000015
【図１４】
2007332573.tif 000016
【図１５】
2007332573.tif 000017
【図１６】
2007332573.tif 000018
【図１７】
2007332573.tif 000019